(57)【要約】【課題】電子機器の使用者がペンを紛失するのを防止することができる。【解決手段】タッチペン検出部１０６は、タッチペンがタッチペン保持部に保持されているか否かを検出する。制御部１０８は、タッチペン検出部１０６の検出結果に応じて、報知部（例えば液晶表示装置１０２ａ、スピーカ１１１）に対して、タッチペンの保持状態に関する情報を報知させる。【選択図】      図３
2012141841.tif 000002
【特許請求の範囲】
【請求項１】
ペンを保持するペン保持部と、
前記ペンが前記ペン保持部に保持されているか否かを検出するペン検出部と、
前記ペンの保持状態に関する情報を報知する報知部と、
前記ペン検出部の検出結果に応じて、前記報知部に対して、前記ペンの保持状態に関する情報を報知させる制御部とを備えた電子機器。
【請求項２】
前記検知部が、前記ペン保持部に前記ペンが保持されていないと検出した場合、前記制御部は、前記報知部に対して、前記ペンの保持状態に関する情報を報知させる請求項１に記載の電子機器。
【請求項３】
前記制御部は、前記ペンが前記ペン保持部から外されてから所定時間経過後に、前記報知部に対して、前記ペンの保持状態に関する情報を報知させる請求項１または２に記載の電子機器。
【請求項４】
前記報知部が前記ペンの保持状態に関する情報を報知することができる設定モードである報知オンモードと、前記報知部が前記ペンの保持状態に関する情報を報知することができない設定モードである報知オフモードとを切り替えるモード切替部を備えた請求項１〜３のいずれかに記載の電子機器。
【請求項５】
前記報知部は、スピーカ部を有し、前記制御部は、前記ペン検出部の検出結果に応じて、前記スピーカ部に対して、前記ペンの保持状態に関する情報を音で出力させる請求項１〜４のいずれかに記載の電子機器。
【請求項６】
前記報知部は、文字及び図柄を表示する表示部を有し、前記制御部は、前記ペン検出部の検出結果に応じて、前記表示部に対して、前記ペンの保持状態に関する情報を文字又は図柄で表示させる請求項１〜５のいずれかに記載の電子機器。
【請求項７】
前記ペン検出部は、前記ペンに設けられた導電部と、前記電子機器に設けられた導電部との接続の有無によって、前記ペンが前記ペン保持部に保持されているか否かを検出する請求項１〜６のいずれかに記載の電子機器。
【請求項８】
前記ペンが前記ペン保持部に保持されたとき互いに接続し、前記ペンが前記ペン保持部に保持されていないとき互いに接続しないように、設けられた一対の導電部を備え、
前記ペン検出部は、前記電子機器に設けられた前記一対の導電部の接続の有無によって、前記ペンが前記ペン保持部に保持されているか否かを検出する請求項１〜７のいずれかに記載の電子機器。
【請求項９】
前記ペン検出部は、スイッチで構成され、前記ペンが前記ペン保持部に保持されたか否かをスイッチのオンオフにより検知する請求項１〜８のいずれかに記載の電子機器。
【請求項１０】
ペンが電子機器のペン保持部に保持されているか否かを検出する検出ステップと、
前記検出ステップの検出結果に応じて、ペンの保持状態に関する情報を報知するステップを有する報知方法。
【発明の詳細な説明】
【技術分野】
【０００１】
本発明は、例えばタッチパネルの入力に用いるペンを保持することができる電子機器に関する。
【背景技術】
【０００２】
近年、携帯情報端末にはペンで入力可能なタッチパネルが搭載されている。このような情報携帯端末では、ペンを用いてタッチパネルを押下することにより、文字入力や座標入力などをすることができる。このように、近年の携帯情報端末では、ペンを用いてタッチパネルを操作することにより入力を行えるので、操作性に富む。一方、タッチパネル入力用のペンは、携帯情報端末とともに持ち運ぶものであり、一般的には、携帯情報端末の筐体に収容できるように構成されている。このような例が、特許文献１及び特許文献２に記載されている。
【先行技術文献】
【特許文献】
【０００３】
【特許文献１】特開平２００７−１７９５０２号公報
【特許文献２】特開平２００１−２４９２１号公報
【発明の概要】
【発明が解決しようとする課題】
【０００４】
しかしながら、タッチパネル入力用のペンは、携帯情報端末などの電子機器の筐体に収納できるようするため、通常は細く小型であるため、紛失しやすいという問題があった。
【０００５】
本発明は、このような事情に鑑みてなされものであり、電子機器の使用者がペンを紛失するのを防止する技術を提供する。
【課題を解決するための手段】
【０００６】
本発明の電子機器は、ペンを保持するペン保持部と、ペンがペン保持部に保持されているか否かを検出するペン検出部と、ペンの保持状態に関する情報を報知する報知部と、ペン検出部の検出結果に応じて、報知部に対して、ペンの保持状態に関する情報を報知させる制御部とを備える。
【発明の効果】
【０００７】
本発明にかかる技術によれば、電子機器の使用者がペンを紛失するのを防止することができる。
【図面の簡単な説明】
【０００８】
【図１】本発明の第１の実施の形態にかかる携帯情報端末の外観図であって、タッチペンを収納した状態を示す図である。
【図２】本発明の第１の実施の形態にかかる携帯情報端末の外観図であって、タッチペンを検出する構成も併せて示す図である。
【図３】本発明の第１の実施の形態にかかる携帯情報端末のブロック図である。
【図４】報知オンモードと報知オフモードの切り替え操作を示すフロー図である。
【図５】本発明の第１の実施の形態にかかる携帯情報端末の動作フローを示す図である。
【図６】本発明の第２の実施の形態にかかる携帯情報端末の外観図であって、タッチペンを検出する構成も併せて示す図である。
【図７】本発明の第２の実施の形態にかかる携帯情報端末のタッチペン検出部の動作を説明するための概念図である。
【図８】本発明の第３の実施の形態にかかる携帯情報端末の外観図であって、タッチペンを検出する構成も併せて示す図である。
【発明を実施するための形態】
【０００９】
＜第１の実施の形態＞
図１は、本発明の第１の実施の形態にかかる携帯情報端末の外観図であって、タッチペンを収納した状態を示す図である。図２は、本発明の第１の実施の形態にかかる携帯情報端末の外観図であって、タッチペンを検出する構成も併せて示す図である。
【００１０】
図１に示されるように、携帯情報端末１００は、筐体１０１と、表示パネル１０２と、操作部１０３ａ〜１０３ｄとを備えている。なお、携帯情報端末１００は本発明の電子機器に相当する。電子機器には、携帯情報端末１００のほか、携帯電話機、電子手帳、携帯ゲーム機などが含まれる。
【００１１】
筐体１０１は、携帯情報端末１００の電子部品（不図示）を収容するためのケースである。表示パネル１０２は、タッチパネル機能を有しており、液晶表示装置とタッチパネルにより構成されている。タッチパネルは液晶表示装置の表面側に取り付けられている。携帯情報端末１００の使用者は、タッチペン２００の先端部をタッチパネルの表面に接触させることで、当該タッチパネル内の座標を特定し、当該座標を信号として入力することができる。なお、表示パネル１０２には、液晶表示装置に限らず、有機ＥＬ（Electro-Luminescence）表示装置などを用いてもよい。タッチペン２００は本発明のペンに相当する。
【００１２】
操作部１０３ａ〜１０３ｄは、携帯情報端末１００の使用者が各種操作を行うためのもので、例えば押しボタンスイッチで構成され、筐体１０１の表面に設けられている。携帯情報端末１００の使用者は、操作部１０３ａ〜１０３ｄを用いて、携帯情報端末１００に対して、予め設定されたプログラムを実行させるための信号を入力することができる。また、筐体１０１の内側には、タッチペン２００を保持するためのタッチペン保持部１０５が形成されている。タッチペン保持部１０５は、タッチペン２００の形状に合わせて形成されている。図１の例では、タッチペン２００は円柱状であるので、タッチペン保持部１０５はタッチペン２００の形状に合わせて円筒状に形成されている。
【００１３】
次に、図２に基づいて、タッチペン２００を検出する構成として、タッチペン検出部１０６について説明する。図２に示されるように、タッチペン検出部１０６は、タッチペン２００がペン保持部１０５に保持されているか否かを検出する。タッチペン検出部１０６は、スイッチ１０６ａ、タッチペン検出用制御部１０６ｂ、電源１０６ｃおよび電流制御用抵抗１０６ｄを備えている。なお、タッチペン制御部１０６ｂは、後述するように、携帯情報端末の各電子部品を制御するための制御部（図２では不図示）に組み込むことができる。タッチペン制御部１０６ｂは、スイッチ１０６ａに接続されている。また、電源部１０６ｃは電流制御用抵抗１０６ｄを介してスイッチ部１０６ａに接続されている。
【００１４】
また、タッチペン保持部１０５の内側には、第１の導電部１０７が形成されており、タッチペン２００の先端部側（図１紙面の下側）には、第１の導電部１０７の形成位置に対応して、第２の導電部２０１が形成されている。なお、第１の導電部１０７および第２の導電部２０１は、例えば、銅などの導電性の金属により形成されている。タッチペン２００をタッチペン保持部１０５に収納した結果、タッチペン２００がタッチペン保持部１０５に保持されると、第１の導電部１０７と第２の導電部２０１とが電気的に接続する。この電気的な接続により、タッチパネル検出部１０６のスイッチ１０６ａがオン状態となり、タッチペン検出用制御部１０６ｂに電源１０６ｃの電圧が入力される。これにより、タッチペン検出部１０６は、タッチペン２００がタッチペン保持部１０５に保持されていることを検出することができる。逆に、タッチペン２００をタッチペン保持部１０５から取り外すと、第１の導電部１０７と第２の導電部２０１との電気的接続が切れる。この電気的接続の切断により、タッチパネル検出部１０６のスイッチ１０６ａがオフ状態となり、タッチペン検出用制御部１０６ｂに電源１０６ｃの電圧が入力されなくなる。これにより、タッチペン検出部１０６は、タッチペン２００がタッチペン保持部１０５に保持されていないことを検出することができる。なお、この場合には、第１の導電部１０７と第２の導電部２０１との電気的接続が切れた際にオープンになるため、タッチペン検出用制御部１０６ｂの内部にプルダウン抵抗（不図示）を設けることにより、タッチペン検出用制御部１０６ｂでグランドレベルを判定してもよい。
【００１５】
次に、本発明の第１の実施の形態にかかる携帯情報端末の回路構成を説明する。図３は、本発明の第１の実施の形態にかかる携帯情報端末のブロック図である。図３に示されるように、携帯情報端末１００は、表示ユニット１０２と、操作部１０３と、タッチペン検出部１０６と、制御部１０８と、記憶部１０９と、クロック部１１０と、スピーカ部１１１と、モード切替部１１２とを備えている。なお、液晶表示装置１０２ａおよびスピーカ１１１は、本発明の報知部に相当する。
【００１６】
表示ユニット１０２は、前述の通り、例えば、液晶表示装置１０２ａとタッチパネル１０２ｂを含んで構成されている。携帯情報端末１００の使用者が操作部１０３を用いてキー操作した場合、制御部１０８は、キー操作があったことを認識し、例えば液晶表示装置１０２ａやスピーカ１１１などを用いて、インターフェースで決定されている各種機能を作動させる。液晶表示装置１０２ａには、制御部１０８の指示により各種機能の説明を表示することもできる。
【００１７】
操作部１０３は、図１および図２の操作部１０３ａ〜１０３ｄに相当し、これらを包括的に示している。
【００１８】
タッチペン検出部１０６は、図２を用いて説明した通りである。図３に示されるように、タッチペン検出用制御部１０６ｂは、制御部１０８に含まれて構成されている。
【００１９】
制御部１０８は、各構成部品に電気的に接続されており、各構成部品に対して指示を行う。制御部１０８は、タッチペン検出部１０６の検出結果に応じて、液晶表示装置１０２ａやスピーカ１１１などの報知部に対して、タッチペン２００の保持状態に関する情報を報知させる。具体的には、タッチペン検出部１０６が、タッチペン保持部１０５にタッチペン２００が保持されていないと検出した場合に、制御部１０８は、報知部に対して、タッチペン２００がタッチペン保持部１０５に保持されていないという情報を報知させる。
この場合、例えば、液晶表示装置１０２ｂは制御部１０８の指示に従って「タッチペンが抜かれています」などの表示を文字や図柄を用いて行う。スピーカ１１１は制御部１０８の指示に従って「タッチペンが抜かれています」などの警告音を出力する。
【００２０】
記憶部１０９には、例えば制御部１０８により設定された各種情報や、タッチペン検出部１０６の検出結果などを記憶させることができる。また、記憶部１０９には、タッチペン２００がタッチペン保持部１０５から外された時から、液晶表示装置１０２ａやスピーカ１１１などの報知部に対してタッチペンの保持状態に関する情報を報知させる時までの時間（報知開始時間Ｘ）なども記憶することができる。なお、報知開始時間は、携帯情報端末１００の使用者により任意に設定することができる。
【００２１】
クロック部１１０は、制御部１０８の指示に従って、時間をカウントする。制御部１０８は、クロック部１１０によりカウントされた時間を管理する。スピーカ１１１は制御部１０８の指示に従って所定の音を出力する。
【００２２】
モード切替部１１２は、報知オンモードと報知オフモードとを、制御部１０８に指示に従って切り替える。ここで、報知オンモードとは、液晶表示装置１０２ａやスピーカ１１１などの報知部がタッチペン２００の保持状態に関する情報を報知することができる設定モードである。報知オフモードとは、液晶表示装置１０２ａやスピーカ１１１などの報知部がタッチペン２００の保持状態に関する情報を報知することができない設定モードである。ここで、報知オフモードに設定された場合、使用者は、液晶表示装置１０２ａやスピーカ１１を、タッチペン２００の保持状態に関する情報を報知する手段として使用することができない。一方、報知オフモードに設定された場合であっても、使用者は、液晶表示装置１０２ａやスピーカ１１を、タッチペン２００の保持状態に関する情報を報知する手段以外であれば、液晶表示装置１０２ａやスピーカ１１を使用できる。なお、報知部として、液晶表示装置１０２ａまたはスピーカ１１１のいずれか一方あるいは双方を機能させるのかを、制御部１０８により設定することができる。
【００２３】
次に、モード切替部１１２による報知オンモードと報知オフモードの切り替え操作について、図４を用いて説明する。図４は、報知オンモードと報知オフモードの切り替え操作のフローを示す。
【００２４】
図４に示されるように、携帯情報端末１００の使用者により、報知オンモードに設定された場合（ステップ（以下、単にＳと称する）４０１ＹＥＳ）、制御部１０８は記憶部１０９に報知オンモードの設定を保存する（Ｓ４０２）。一方、携帯情報端末１００の使用者により、報知オフモードに設定された場合（ステップ（以下、単にＳと称する）４０１ＮＯ）、制御部１０８は記憶部１０９に報知オフモードの設定を保存した後（Ｓ４０３）、モード切替作業を終了する。
【００２５】
報知オンモードと報知オフモードの切替は次のように行われる。すなわち、携帯情報端末１００の使用者は、例えば操作部１０３から所定のキー入力を行う。制御部１０８は、操作部１０３からの入力情報に従って、モード切替部１１２に対して、モードの切替処理を実行させる。この結果、報知オンモードまたは報知オフモードのいずれかに設定され、モード切替が完了する。なお、携帯情報端末１００の工場出荷時には、報知オンモードまたは報知オフモードのいずれかに予めデフォルトとして設定されている。
【００２６】
次に、報知オンモードに設定された後に、携帯情報端末１００の使用者により、報知開始時間Ｘの設定が行われた場合（Ｓ４０４ＹＥＳ）、制御部１０８は、使用者により操作部等を用いて入力された報知開始時間Ｘを記憶部１０９に保存する（Ｓ４０５）。一方、携帯情報端末１００の使用者により、報知開始時間Ｘの設定が行われた場合（Ｓ４０４ＮＯ）、制御部１０８はモード切替作業を終了する。なお、報知開始時間Ｘとは、上述の通り、タッチペン２００がタッチペン保持部から外された時から、液晶表示装置１０２ａやスピーカ１１１などの報知部に対してタッチペンの保持状態に関する情報を報知させる時までの時間をいう。
【００２７】
次に、本発明の第１の実施の形態にかかる携帯情報端末の動作説明を行う。図５は、本発明の第１の実施の形態にかかる携帯情報端末の動作フローを示す図である。
【００２８】
まず、タッチペン検出部１０６が、タッチペン２００がタッチペン保持部１０５に保持されているか否かを検出する（Ｓ５０１）。一方、タッチペン検出部１０６が、タッチペン２００がタッチペン保持部１０５に保持されていると検出した場合（Ｓ５０１ＹＥＳ）、制御部１０８は液晶表示装置１０２ａやスピーカ１１１などの報知部に対してタッチペンの保持状態に関する情報を報知させることなく、処理を終了する。
【００２９】
一方、タッチペン検出部１０６が、タッチペン２００がタッチペン保持部１０５に保持されていないと検出した場合（Ｓ５０１ＮＯ）、制御部１０８は、報知オンモードに設定されているか否かを判断する（Ｓ５０２）。
【００３０】
報知オンモードに設定され、報知開始時間Ｘが設定されている場合（Ｓ５０２ＹＥＳ、Ｓ５０３ＹＥＳ）、制御部１０８は、タイマーを用いて時間をカウントし、報知開始時間Ｘになるまでカウントをする（Ｓ５０４）。そして、制御部１０８は、予め設定されている報知開始時間Ｘを経過したときに（Ｓ５０４ＹＥＳ）、タッチペン２００がタッチペン保持部１０５に保持されていないことを、タッチペン２００の保持状態に関する情報として、液晶表示装置１０２ａやスピーカ１１１などの報知部に対して報知させる（Ｓ５０６）。これにより、液晶表示装置１０２ａは、タッチペンが抜かれています」などの表示を行い、スピーカ１１１は「タッチペンが抜かれています」などの警告音を出力する。
【００３１】
報知オンモードに設定され、報知開始時間が設定されていない場合（Ｓ５０２ＹＥＳ、Ｓ５０３ＮＯ）、制御部１０８は、報知開始時間Ｘの経過を待つことなく、タッチペン２００がタッチペン保持部１０５に保持されていないことを液晶表示装置１０２ａやスピーカ１１１などの報知部に対して上記同様の報知させる（Ｓ５０６）。
【００３２】
報知オンモードに設定されていない場合（Ｓ５０２ＮＯ）、制御部１０８は液晶表示装置１０２ａやスピーカ１１１などの報知部に対してタッチペンの保持状態に関する情報を報知させることなく、処理を終了する。
【００３３】
タッチペン２００がタッチペン保持部１０５に保持されたことがタッチペン検出部１０６により検出されるまでは（Ｓ５０７ＮＯ）、液晶表示装置１０２ａやスピーカ１１１などの報知部は、タッチペン２００がタッチペン保持部１０５に保持されていないことを携帯情報端末１００の使用者に報知し続ける（Ｓ５０６）。タッチペン検出部１０６が、タッチペン２００がタッチペン保持部１０５に保持されたことを検出した場合（Ｓ５０７ＹＥＳ）、制御部１０８は、液晶表示装置１０２ａやスピーカ１１１などの報知部に対して、上記の報知を停止させる（Ｓ５０８）。
【００３４】
以上のように、本発明の第１の実施の形態にかかる携帯情報端末１００は、タッチペン２００を保持するタッチペン保持部１０５と、タッチペン２００がタッチペン保持部１０５に保持されているか否かを検出するタッチペン検出部１０６と、タッチペン２００の保持状態に関する情報を報知する報知部とを備えている。タッチペン２００の保持状態に関する情報とは、例えば、タッチペン２００がタッチペン保持部１０６に保持されていないことを示す情報である。報知部は、例えば、液晶表示装置１０２ａやスピーカ１１１などである。制御部１０８は、タッチペン検出部１０６の検出結果に応じて、液晶表示装置１０２ａやスピーカ１１１などの報知部に対して、タッチペン２００の保持状態に関する情報を報知させる。これにより、携帯情報端末１００の使用者が誤ってタッチペン２００を落とした場合でも、液晶表示装置１０２ａやスピーカ１１１などの報知部が使用者に対して、タッチペン２００が保持されていない等の情報を報知するので、使用者はタッチペン２００を落としたことに気づくことができる。この結果、携帯情報端末１００の使用者がタッチペンを紛失するのを防止することができる。
【００３５】
また、本発明の第１の実施の形態にかかる携帯情報端末１００において、制御部１０８は、タッチペン２００がタッチペン保持部１０６から外されてから報知開始時間Ｘを経過した後に、液晶表示装置１０２ａやスピーカ１１１などの報知部に対して、タッチペンの保持状態に関する情報を報知させる。このように構成したことで、報知部は、報知開始時間Ｘを経過する前は動作せず、報知開始時間Ｘを経過した後に始めて動作し、使用者に対してタッチペン２００が保持されていない等の情報を報知する。これにより、使用者は、自ら設定した報知開始時間Ｘに合わせて、タッチペン２００が保持されていない等の情報を受けることができる。
【００３６】
また、本発明の第１の実施の形態にかかる携帯情報端末１００は、モード切替部を用いて、報知オンモードと報知オフモードを切り替えることができる。ここで、報知オンモードとは、液晶表示装置１０２ａやスピーカ１１１などの報知部がタッチペン２００の保持状態に関する情報を報知することができるモードである。報知オフモードとは、報知部がタッチペン２００の保持状態に関する情報を報知することができないモードである。このように、報知オンモードと報知オフモードとを切り替えるモード切替を可能にし、報知オンモードのときのみに、液晶表示装置１０２ａやスピーカ１１１などの報知部がタッチペン２００の保持状態に関する情報を報知することができるようにしたので、タッチペン２００を使ってタッチパネル１０２ｂに入力しているときなど、必要のないときに不用意に、タッチペンの保持状態に関する情報を報知させることを防止することができる。
【００３７】
また、本発明の第１の実施の形態にかかる携帯情報端末１００において、タッチペン検出部１０６は、タッチペン２００に設けられた第１の導電部１１０と、携帯情報端末１００の筐体に設けられた第２の導電部２０１との接続の有無によって、タッチペン２００がタッチペン保持部１０６に保持されているか否かを検出する。このように、２つの導電部を電極として用いて、タッチペン検出部１０６を構成したので、タッチペン検出部１０６を簡素な構成とすることができる。
＜本発明の第２の実施の形態＞
次に、本発明の第２の実施の形態にかかる携帯情報端末について説明する。図６は、本発明の第２の実施の形態にかかる携帯情報端末の外観図であって、タッチペンを検出する構成も併せて示す図である。図７は、本発明の第２の実施の形態にかかる携帯情報端末のタッチペン検出部の動作を説明するための概念図である。
【００３８】
本発明の第１の実施形態にかかる携帯情報端末と、本発明の第２の実施形態にかかる携帯情報端末とは、基本的な構成は共通するが、タッチペン検出部１０６の具体的な構造で相違する。なお、タッチペン検出部１０６の回路構成は、本発明の第１の実施形態にかかる携帯情報端末と、本発明の第２の実施形態にかかる携帯情報端末とで、共通する。
【００３９】
図６に示されるように、タッチペン保持部１０５の内側には、第１の導電部１１３ａと第２の導電部１１３ｂからなる一対の導電部が形成されている。なお、第１の導電部１１３ａおよび第１の導電部１１３ｂは、例えば、銅などの導電性の金属により形成されている。
【００４０】
図７（ａ）に示されるように、タッチペン２１０がタッチペン保持部１０５に保持されていない状態では、第１の導電部１１３ａと第２の導電部１１３ｂは互いに電気的に接続している。タッチペン２１０がタッチペン保持部１０５に保持されている状態では、第１の導電部と第２の導電部１１３ｂは互いに電気的に接続していない。このため、タッチペン２１０をタッチペン保持部１０５に収納した結果、タッチペン２１０がタッチペン保持部１０５に保持されると、第１の導電部１１３ａと第２の導電部１１３ｂとが電気的に接続しなくなる。このため、タッチパネル検出部１０６のスイッチ１０６ａがオフ状態となり、タッチペン検出用制御部１０６ｂに電源１０６ｃの電圧が入力されなくなる。これにより、タッチペン検出部１０６は、タッチペン２１０がタッチペン保持部１０５に保持されていることを検出することができる。逆に、タッチペン２１０をタッチペン保持部１０５から取り外すと、第１の導電部１１３ａと第２の導電部１１３ｂとが電気的に接続される。このため、タッチパネル検出部１０６のスイッチ１０６ａがオン状態となり、タッチペン検出用制御部１０６ｂに電源１０６ｃの電圧が入力される。これにより、タッチペン検出部１０６は、タッチペン２００がタッチペン保持部１０５に保持されていないことを検出することができる。なお、この場合には、第１の導電部１１３ａと第２の導電部１１３ｂとの電気的接続が切れた際にオープンになるため、タッチペン検出用制御部１０６ｂの内部にプルダウン抵抗（不図示）を設けることにより、タッチペン検出用制御部１０６ｂでグランドレベルを判定してもよい。
【００４１】
以上の通り、本発明の第２の実施の形態にかかる携帯情報端末では、第１の導電部１１３ａと第２の導電部１１３ｂからなる一対の導電部を備えている。第１の導電部１１３ａと第２の導電部１１３ｂは、タッチペン２１０がタッチペン保持部１０６に保持されたときに互いに接続し、タッチペン２１０がタッチペン保持部１０６に保持されていないとき互いに接続しないように、設けられている。そして、タッチペン検出部１０６は、携帯情報端末に設けられた前記一対の導電部１１３ａ、１１３ｂの接続の有無によって、タッチペン２１０がタッチペン保持部１０６に保持されているか否かを検出する。このように、２つの導電部１１３ａ、１１３ｂを電極として用いて、タッチペン検出部１０６を構成したので、タッチペン検出部１０６を簡素な構成とすることができる。また、本発明の第１の実施の形態と比較して、タッチペン２１０に導電部を設ける必要がないので、タッチペン２１０をより簡素な構成にすることができる。
＜本発明の第３の実施の形態＞
次に、本発明の第３の実施の形態にかかる携帯情報端末について説明する。図８は、本発明の第３の実施の形態にかかる携帯情報端末の外観図であって、タッチペンを検出する構成も併せて示す図である。
【００４２】
本発明の第１の実施形態にかかる携帯情報端末と、本発明の第３の実施形態にかかる携帯情報端末とは、基本的な構成は共通するが、タッチペン検出部１０６の具体的な構造で相違する。なお、タッチペン検出部１０６の回路構成は、本発明の第１の実施形態にかかる携帯情報端末と、本発明の第３の実施形態にかかる携帯情報端末とで、共通する。
【００４３】
図８に示されるように、タッチペン保持部１０５には、ボタンスイッチ１１４が設けられている。ボタンスイッチ１１４には、アクチュエータが突出して設けられており、タッチペン２２０がタッチペン保持部１０５に保持されると、タッチペン２２０のペン先がアクチュエータを押圧し、スイッチ１０６ａをオン状態にし、タッチペン検出用制御部１０６ｂに電源１０６ｃの電圧が入力されるように構成されている。これにより、タッチペン検出部１０６は、タッチペン２００がタッチペン保持部１０５に保持されいることを検出することができる。逆に、タッチペン２２０がタッチペン保持部１０５から抜き出されると、タッチペン２２０のペン先がアクチュエータを押圧しなくなり、スイッチ１０６ａをオフ状態にし、タッチペン検出用制御部１０６ｂに電源１０６ｃの電圧が入力されなくなる。これにより、タッチペン検出部１０６は、タッチペン２１０がタッチペン保持部１０５に保持されていることを検出することができる。
【００４４】
以上の通り、本発明の第３の実施の形態にかかる携帯情報端末において、タッチペン検出部１０６は、ボタンスイッチ１１４で構成され、タッチペン２２０がタッチペン保持部１０５に保持されたか否かをボタンスイッチ１１４のオンオフにより検知する。このように、スイッチを用いて、タッチペン検出部１０６を構成したので、タッチペン検出部１０６を簡素な構成とすることができる。また、本発明の第１の実施の形態と比較して、タッチペン２２０に導電部を設ける必要がないので、タッチペン２２０をより簡素な構成にすることができる。
【００４５】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【００４６】
なお、携帯情報端末１００は、通常動作モードと、省電力動作モードとのいずれかに切り替えて使用することができるように構成してもよい。ここで、通常動作モードとは、携帯情報端末１００内の電子部品に通常の電力を供給するモードをいう。通常表示モードは、例えば、液晶表示装置１０２ａの表示をオンとし、メニュー画面を表示した状態などという。省電力モードとは、携帯情報端末１００内の電子部品に通常動作モードより抑制した電力を供給するモードである。第１〜第３の実施の形態では、制御部１０８は、タッチペン検出部１０６の検出結果に応じて、報知部液晶表示装置１０２ａやスピーカ１１１などの報知部に対してタッチペンの保持状態に関する情報を報知させるものであった。これに換えて、制御部１０８が、タッチペン検出部１０６の検出結果に応じて、通常電力モード又は省電力モードに設定するように構成してもよい。例えば、タッチペンがタッチペン保持部１０５に保持されていない場合には、携帯情報端末１００の使用者が、タッチペンを紛失しない限り、タッチペンを用いて作業を行っていることが想定される。従って、タッチペン検出部１０６が、タッチペンがタッチペン保持部１０６に保持されていないと検出したときに、省電力モードから通常電力モードに移行するように設定することが考えられる。逆に、タッチペンがタッチペン保持部１０５に保持されている場合には、携帯情報端末１００の使用者は何も作業を行っていないことが想定される。従って、タッチペン検出部１０６が、タッチペンがタッチペン保持部１０６に保持されていると検出したときに、通常電力モードから省電力モードに移行するように設定することが考えられる。さらに、タッチペン検出部１０６が、タッチペンがタッチペン保持部１０５に保持されていないと検出したときに、タッチペンの使用に限定される特別な設定（例えば液晶表示装置１０２ａに詳細な絵を描く設定など）に移行できるようにしてもよい。このようにタッチペン検出部の検出結果に応じてモード切替する構成にすることにより、使用者が操作部１０３を用いてモード切替操作する手間を省くことができる。
【００４７】
また、携帯情報端末１００は、タッチペン使用モードと、タッチペン不使用モードとのいずれかに切り替えて使用することができるように構成してもよい。ここで、タッチペン使用モードとは、タッチパネル１０２ｂに対して入力が可能なモードといい、タッチペン不使用モードとは、タッチパネル１０２ｂに対して入力が不可能なモードをいう。第１〜第３の実施の形態では、制御部１０８は、タッチペン検出部１０６の検出結果に応じて、報知部液晶表示装置１０２ａやスピーカ１１１などの報知部に対してタッチペンの保持状態に関する情報を報知させるものであった。これに換えて、制御部１０８が、タッチペン検出部１０６の検出結果に応じて、タッチペン使用モード又はタッチペン不使用モードに設定するように構成してもよい。例えば、タッチペンがタッチペン保持部１０５に保持されていない場合には、携帯情報端末１００の使用者が、タッチペンを紛失していない限り、タッチペンを用いて作業を行っていることが想定される。従って、タッチペン検出部１０６が、タッチペンがタッチペン保持部１０６に保持されていないと検出したときに、タッチペン不使用モードからタッチペン使用モードに移行するように設定することが考えられる。逆に、タッチペンがタッチペン保持部１０５に保持されている場合には、携帯情報端末１００の使用者は何も作業を行っていないか、タッチペン以外で入力を行っていることが想定される。従って、タッチペン検出部１０６が、タッチペンがタッチペン保持部１０６に保持されていると検出したときに、タッチペン使用モードからタッチペン不使用モードに移行するように設定することが考えられる。このように、タッチペン検出部の検出結果に応じて、モード切替する構成にすることにより、使用者が操作部１０３を用いてモード切替操作する手間を省くことができる。
【００４８】
なお、前記の第１、第２及び第３の実施形態の一部又は全部は、以下のようにも記載されうるが、以下に限られない。
（付記１）
ペンを保持するペン保持部と、
前記ペンが前記ペン保持部に保持されているか否かを検出するペン検出部と、
前記ペンの保持状態に関する情報を報知する報知部と、
前記ペン検出部の検出結果に応じて、前記報知部に対して、前記ペンの保持状態に関する情報を報知させる制御部とを備えた電子機器。
（付記２）
前記検知部が、前記ペン保持部に前記ペンが保持されていないと検出した場合、前記制御部は、前記報知部に対して、前記ペンの保持状態に関する情報を報知させる付記１に記載の電子機器。
（付記３）
前記制御部は、前記ペンが前記ペン保持部から外されてから所定時間経過後に、前記報知部に対して、前記ペンの保持状態に関する情報を報知させる付記１または２に記載の電子機器。
（付記４）
前記報知部が前記ペンの保持状態に関する情報を報知することができる設定モードである報知オンモードと、前記報知部が前記ペンの保持状態に関する情報を報知することができない設定モードである報知オフモードとを切り替えるモード切替部を備えた付記１〜３のいずれかに記載の電子機器。
（付記５）
前記報知部は、スピーカ部を有し、前記制御部は、前記ペン検出部の検出結果に応じて、前記スピーカ部に対して、前記ペンの保持状態に関する情報を音で出力させる付記１〜４のいずれかに記載の電子機器。
（付記６）
前記報知部は、文字及び図柄を表示する表示部を有し、前記制御部は、前記ペン検出部の検出結果に応じて、前記表示部に対して、前記ペンの保持状態に関する情報を文字又は図柄で表示させる付記１〜５のいずれかに記載の電子機器。
（付記７）
前記ペン検出部は、前記ペンに設けられた導電部と、前記電子機器に設けられた導電部との接続の有無によって、前記ペンが前記ペン保持部に保持されているか否かを検出する付記１〜６のいずれかに記載の電子機器。
（付記８）
前記ペンが前記ペン保持部に保持されたとき互いに接続し、前記ペンが前記ペン保持部に保持されていないとき互いに接続しないように、設けられた一対の導電部を備え、
前記ペン検出部は、前記電子機器に設けられた前記一対の導電部の接続の有無によって、前記ペンが前記ペン保持部に保持されているか否かを検出する付記１〜７のいずれかに記載の電子機器。
（付記９）
前記ペン検出部は、スイッチで構成され、前記ペンが前記ペン保持部に保持されたか否かをスイッチのオンオフにより検知する付記１〜８のいずれかに記載の電子機器。
（付記１０）
ペンが電子機器のペン保持部に保持されているか否かを検出する検出ステップと、
前記検出ステップの検出結果に応じて、ペンの保持状態に関する情報を報知するステップを有する報知方法。
（付記１１）
ペンを保持することができる電子機器に使用されるペン検出装置であって、
前記ペンに形成された第１の導電部と、
前記電子機器の筐体に形成された第２の導電部とを備え、
前記第１の導電部と前記第２の導電部との接続の有無によって、前記ペンが前記電子機器に保持されているか否かを検出するペン検出装置。
（付記１２）
ペンを保持することができる電子機器に使用されるペン検出装置であって、
前記ペンが前記ペン保持部に保持されたとき互いに接続し、前記ペンが前記ペン保持部に保持されていないとき互いに接続しないように、設けられた一対の導電部を備え、
前記ペン検出部は、前記電子機器に設けられた前記一対の導電部の接続の有無によって、前記ペンが前記ペン保持部に保持されているか否かを検出するペン検出装置。
（付記１３）
前記電気機器内の電子部品に通常の電力を供給する通常動作モードと、前記電気機器内の電子部品に前記通常動作モードより抑制した電力を供給する省電力動作モードとのいずれかに切り替えて使用することができる電子機器であって、
前記ペンを保持するペン保持部と、
前記ペンが前記ペン保持部に保持されているか否かを検出するペン検出部と、
前記ペン検出部の検出結果に応じて、前記通常電力モード又は前記省電力モードに設定する制御部を備えた電子機器。
（付記１４）
ペンにより入力可能なタッチパネルを有し、前記タッチパネルに対して入力が可能なモードであるペン使用モードと、前記タッチパネルに対して入力が不可能なモードであるペン不使用モードとのいずれか一方に切り替えて使用することができる電子機器であって、
ペンによりスイッチング可能なタッチパネルと、
前記ペンを保持するペン保持部と、
前記ペンが前記ペン保持部に保持されているか否かを検出するペン検出部と、
前記ペン検出部の検出結果に応じて、前記ペン使用モード又は前記ペン不使用モードに設定する制御部を備え、
前記制御部は、前記ペン検出部が、前記ペン保持部により前記ペンが保持されていると検出した場合には、前記ペン使用モードに設定し、前期ペン保持部により前記ペンが保持されていないと検出した場合には、前記ペン不使用モードに設定する電子機器。
【符号の説明】
【００４９】
１００  携帯情報端末
１０１  筐体
１０２  表示ユニット
１０２ａ  液晶表示装置
１０２ｂ  タッチパネル
１０３、１０３ａ〜１０３ｄ  操作部
１０５  タッチペン保持部
１０６  タッチペン検出部
１０８  制御部
１０９  記憶部
１１０  クロック部
１１１  スピーカ
１１２  モード切替部
２００、２１０、２２０  タッチペン
【図１】
2012141841.tif 000003
【図２】
2012141841.tif 000004
【図３】
2012141841.tif 000005
【図４】
2012141841.tif 000006
【図５】
2012141841.tif 000007
【図６】
2012141841.tif 000008
【図７】
2012141841.tif 000009
【図８】
2012141841.tif 000010